(57)【要約】【課題】検知精度の向上を図ることができる画像形成装置を提供すること。【解決手段】プリンタ１に、本体ケーシング２と、本体ケーシング２に対して装着または離脱する現像カートリッジ１５とを備える。現像カートリッジ１５に、被検知部８７および第１係合部８６を有し、回転する検知ギア７２を備え、本体ケーシング２に、被検知部８７を検知する検出機構１９０と、第１係合部８６と係合する第２係合部１８０とを備える。そして、検出機構１９０が被検知部８７を検知するときに、第１係合部８６と第２係合部１８０とを、検知ギア７２の回転により係合させる。【選択図】図１１
2015060179.tif 000002
【特許請求の範囲】
【請求項１】
装置本体と、
前記装置本体に対して装着または離脱するように構成されるカートリッジとを備え、
前記カートリッジは、
被検知部および第１係合部を有し、回転するように構成される回転体を備え、
前記装置本体は、
前記被検知部を検知するように構成される検知部と、
前記第１係合部と係合するように構成される第２係合部とを備え、
前記第１係合部と前記第２係合部とは、少なくとも前記検知部が前記被検知部を検知するときに、前記回転体の回転により係合することを特徴とする、画像形成装置。
【請求項２】
前記カートリッジは、
前記回転体が配置される壁部を備え、
前記第１係合部は、
前記回転体の回転軸線に沿う軸線方向において前記壁部の近傍に位置し、前記第２係合部と離間する第１位置と、
前記軸線方向において前記第１位置よりも前記壁部から離間するように位置し、前記第２係合部と係合する第２位置とに、
前記回転体の回転に伴って移動するように構成されていることを特徴とする、請求項１に記載の画像形成装置。
【請求項３】
前記第１係合部は、
前記回転体の回転軸線に沿う軸線方向から見て、前記回転体の回転中心に配置されていることを特徴とする、請求項１または２に記載の画像形成装置。
【請求項４】
前記第１係合部および前記第２係合部のいずれか一方は、
前記第１係合部および前記第２係合部のいずれか他方と係合するときに、前記第１係合部および前記第２係合部の係合をガイドする第１ガイド面を有していることを特徴とする、請求項１〜３のいずれか一項に記載の画像形成装置。
【請求項５】
前記第１係合部および前記第２係合部のいずれか他方は、
前記第１係合部および前記第２係合部のいずれか一方と係合するときに、前記第１係合部および前記第２係合部の係合をガイドする第２ガイド面を有し、
前記第１係合部は、
前記第１ガイド面が前記第２ガイド面と接触することにより、前記第２係合部に対して位置決めされるように構成されていることを特徴とする、請求項４に記載の画像形成装置。
【請求項６】
前記第１係合部は、
前記回転体の回転軸線に沿う軸線方向に延びる円柱形状の円柱部材を有し、
前記第１ガイド面は、
前記円柱部材の前記軸線方向の外方部分に位置し、
前記軸線方向の外方に向かうにつれて、前記円柱部材の中心軸線に向かうように傾斜する傾斜面を有していることを特徴とする、請求項４または５に記載の画像形成装置。
【請求項７】
前記第１係合部は、
前記回転体の回転軸線に沿う軸線方向に延びる円筒形状の円筒部材を有し、
前記第１ガイド面は、
前記円筒部材の前記軸線方向の外方部分に位置し、
前記軸線方向の外方に向かうにつれて、前記円筒部材の中心軸線から離れるように傾斜する傾斜面を有していることを特徴とする、請求項４または５に記載の画像形成装置。
【発明の詳細な説明】
【技術分野】
【０００１】
本発明は、電子写真方式が採用される画像形成装置に関する。
【背景技術】
【０００２】
従来より、カートリッジが着脱可能に装着されるプリンタなどの電子写真装置が知られている。このような電子写真装置は、装着されたカートリッジの情報を判断するため新旧検知機構を備えている。
【０００３】
例えば、電子写真装置は、アクチュエータおよび新旧検知センサを有する装置本体と、装置本体に着脱可能な感光体ドラムユニットとを備えている。感光体ドラムユニットは、検出片ギアおよびアイドルギアを備えている（例えば、特許文献１参照）。
【０００４】
そして、このような電子写真装置では、駆動力がアイドルギアを介して検出片ギアに伝達される。これによって、検出片ギアが回転し、検出片ギアの作用片がアクチュエータの被作用片に干渉してアクチュエータを移動させる。すると、新旧検知センサがアクチュエータの移動を検知して、電子写真装置は感光体ドラムユニットの情報を判断する。
【先行技術文献】
【特許文献】
【０００５】
【特許文献１】特開平９−２５８６３４号公報
【発明の概要】
【発明が解決しようとする課題】
【０００６】
しかし、特許文献１に記載の電子写真装置では、感光体ドラムユニットが装置本体に着脱可能であるので、感光体ドラムユニットの装着時における、感光体ドラムユニットの検出片ギアと、装置本体のアクチュエータとの相対的な位置精度の向上を図るには限度がある。
【０００７】
そのため、検出片ギアの作用片のアクチュエータの被作用片に対する干渉が不安定となり、アクチュエータを確実に移動させることが困難となる場合がある。その結果、新旧検知センサがアクチュエータの移動を正確に検知することができず、電子写真装置において、感光体ドラムユニットの情報の検知精度が低下してしまうという不具合がある。
【０００８】
そこで、本発明の目的は、検知精度の向上を図ることができる画像形成装置を提供することにある。
【課題を解決するための手段】
【０００９】
（１）上記した目的を達成するために、本発明の画像形成装置は、装置本体と、装置本体に対して装着または離脱するように構成されるカートリッジとを備えている。カートリッジは、被検知部および第１係合部を有し、回転するように構成される回転体を備えている。装置本体は、被検知部を検知するように構成される検知部と、第１係合部と係合するように構成される第２係合部とを備えている。そして、第１係合部と第２係合部とは、少なくとも検知部が被検知部を検知するときに、回転体の回転により係合する。
【００１０】
このような構成によれば、カートリッジが装置本体に装着され、少なくとも検知部が被検知部を検知するときに、カートリッジが備える回転体の第１係合部と、装置本体の第２係合部とが、回転体の回転により係合する。そのため、装置本体に対する回転体の相対的な位置精度の向上を図ることができ、ひいては、回転体の被検知部と、装置本体の検知部との相対的な位置精度の向上を図ることができる。
【００１１】
その結果、検知部が被検知部を確実に検知でき、検知部による被検知部の検知精度の向上を図ることができる。
（２）また、カートリッジは、回転体が配置される壁部を備え、第１係合部は、回転体の回転軸線に沿う軸線方向において壁部の近傍に位置し、第２係合部と離間する第１位置と、軸線方向において第１位置よりも壁部から離間するように位置し、第２係合部と係合する第２位置とに、回転体の回転に伴って移動するように構成されていてもよい。
【００１２】
このような構成によれば、第１係合部は、軸線方向において壁部の近傍に位置する第１位置と、軸線方向において第１位置よりも壁部から離間するように位置する第２位置とに、回転体の回転に伴って移動する。そして、検知部が被検知部を検知するときに、第１係合部は、第２位置に配置され、第２係合部と係合する。つまり、第１係合部は、回転体の回転に伴って軸線方向に移動し、第２係合部と係合する。
【００１３】
そのため、検知部が被検知部を検知するときに、第１係合部と第２係合部との確実な係合を確保することができ、回転体の被検知部と、装置本体の検知部との相対的な位置精度の向上を確実に図ることができる。
（３）また、第１係合部は、回転体の回転軸線に沿う軸線方向から見て、回転体の回転中心に配置されていてもよい。
【００１４】
このような構成によれば、第１係合部が、軸線方向から見て、回転体の回転中心に配置されているので、回転体が回転したときに、第１係合部が、偏心することを抑制できる。
【００１５】
そのため、回転体の回転により、第１係合部と第２係合部とが係合するときに、第１係合部と第２係合部との相対的な位置精度の向上を図ることができ、第１係合部と第２係合部とをより一層確実に係合させることができる。
（４）また、第１係合部および第２係合部のいずれか一方は、第１係合部および第２係合部のいずれか他方と係合するときに、第１係合部および第２係合部の係合をガイドする第１ガイド面を有していてもよい。
【００１６】
このような構成によれば、第１係合部および第２係合部のいずれか一方が第１ガイド面を有しているので、第１係合部と第２係合部とが係合するときに、第１ガイド面が、第１係合部および第２係合部の係合をガイドする。そのため、第１係合部と第２係合部との円滑な係合を確保することができる。
（５）また、第１係合部および第２係合部のいずれか他方は、第１係合部および第２係合部のいずれか一方と係合するときに、第１係合部および第２係合部の係合をガイドする第２ガイド面を有していてもよい。この場合、第１係合部は、第１ガイド面が第２ガイド面と接触することにより、第２係合部に対して位置決めされるように構成されている。
【００１７】
このような構成によれば、第１係合部および第２係合部のいずれか他方が第２ガイド面を有しているので、第１係合部と第２係合部とが係合するときに、第１ガイド面および第２ガイド面が、第１係合部および第２係合部の係合を確実にガイドする。
【００１８】
また、第１係合部は、第１ガイド面が第２ガイド面と接触することにより、第２係合部に対して位置決めされるので、第１係合部と第２係合部との相対的な位置精度の向上を図ることができる。
【００１９】
そのため、第１係合部と第２係合部とのより一層円滑な係合を確保することができながら、第１係合部と第２係合部との位置精度の向上を図ることができる。
【００２０】
また、第１ガイド面および第２ガイド面は、第１係合部および第２係合部の係合をガイドする部分と、第１係合部を第２係合部に対して位置決めする部分とを兼ねるので、部品点数の低減を図ることができる。
【００２１】
とりわけ、第１係合部が回転体の回転に伴って軸線方向に移動する場合、第１ガイド面が第２ガイド面と接触することにより、第１係合部が第２係合部に対して位置決めされるので、第１係合部を第１ガイド面と第２ガイド面とが接触するまで移動させれば、第１係合部および第２係合部の係合をガイドでき、かつ、第１係合部を第２係合部に対して位置決めできる。つまり、第１係合部の移動量を低減しても、第１係合部および第２係合部の係合をガイドでき、かつ、第１係合部を第２係合部に対して位置決めできる。
【００２２】
そのため、画像形成装置の軸線方向の小型化を図ることができながら、第１係合部と第２係合部とのより一層円滑な係合を確保することができ、かつ、第１係合部と第２係合部との相対的な位置精度の向上を図ることができる。
（６）また、第１係合部は、回転体の回転軸線に沿う軸線方向に延びる円柱形状の円柱部材を有していてもよい。この場合、第１ガイド面は、円柱部材の軸線方向の外方部分に位置し、軸線方向の外方に向かうにつれて、円柱部材の中心軸線に向かうように傾斜する傾斜面を有している。
【００２３】
このような構成によれば、第１係合部が軸線方向に延びる円柱部材を有しているので、円柱部材と第２係合部とを確実に係合させることができる。また、第１ガイド面の傾斜面は、軸線方向の外方に向かうにつれて、円柱部材の中心軸線に向かうように傾斜しているので、円柱部材と第２係合部との係合を確実にガイドすることができる。
（７）また、第１係合部は、回転体の回転軸線に沿う軸線方向に延びる円筒形状の円筒部材を有していてもよい。この場合、第１ガイド面は、円筒部材の軸線方向の外方部分に位置し、軸線方向の外方に向かうにつれて、円筒部材の中心軸線から離れるように傾斜する傾斜面を有している。
【００２４】
このような構成によれば、第１係合部が軸線方向に延びる円筒部材を有しているので、円筒部材と第２係合部とを確実に係合させることができる。また、第１ガイド面の傾斜面は、軸線方向の外方に向かうにつれて、円筒部材の中心軸線から離れるように傾斜しているので、円筒部材と第２係合部との係合を確実にガイドすることができる。
【発明の効果】
【００２５】
本発明によれば、検知精度の向上を図ることができる。
【図面の簡単な説明】
【００２６】
【図１】図１は、本発明の画像形成装置の第1実施形態としてのプリンタの中央断面図である。
【図２】図２は、図１に示す現像カートリッジを左上から見た分解斜視図である。
【図３】図３Ａは、図２に示すキャップを左上から見た斜視図である。図３Ｂは、図２に示す検知ギアを左後から見た斜視図である。図３Ｃは、図１に示すプリンタが備える係合ユニットを右前から見た斜視図である。
【図４】図４Ａは、図２に示す検知ユニットによる新品検知動作を説明するため説明図であり、検知ギアが初期位置にある状態の左側面図である。図４Ｂは、図４Ａに示す検知ユニットの底面図である。
【図５】図５は、図４Ａに示す検知ユニットおよび係合ユニットを、ボスの径方向に切断したときの断面図である。
【図６】図６Ａは、図４Ａに続いて、検知ユニットによる新品検知動作を説明するため説明図であり、検知ギアが初期位置から進出位置へ移動する途中の状態の左側面図である。図６Ｂは、図６Ａに示す検知ユニットの底面図である。
【図７】図７は、図６Ａに示す検知ユニットおよび係合ユニットを、ボスの径方向に切断したときの断面図である。
【図８】図８は、図６Ａに続いて、検知ユニットによる新品検知動作を説明するため説明図であり、検知ギアが進出位置にある状態の左側面図である。
【図９】図９は、図８に示す検知ユニットおよび係合ユニットを、ボスの径方向に切断したときの断面図である。
【図１０】図１０Ａは、図８に続いて、検知ユニットによる新品検知動作を説明するため説明図であり、第１被検知突起がアクチュエータに当接した状態の左側面図である。図１０Ｂは、図１０Ａに示す検知ユニットの底面図である。
【図１１】図１１は、図１０Ａに示す検知ユニットおよび係合ユニットを、ボスの径方向に切断したときの断面図である。
【図１２】図１２Ａは、図１０Ａに続いて、検知ユニットによる新品検知動作を説明するための説明図であり、検知ギアが終着位置にある状態を示す。図１２Ｂは、図１２Ａに示す検知ユニットの底面図である。
【図１３】図１３は、図１２Ａに示す検知ユニットを左上から見た斜視図である。
【図１４】図１４は、図１２Ａに示す検知ユニットおよび係合ユニットを、ボスの径方向に切断したときの断面図である。
【図１５】図１５Ａは、本発明の第２実施形態としてのプリンタに係る検知ギアを後下から見た斜視図である。図１５Ｂは、本発明の第２実施形態としてのプリンタが備える係合ユニットを右前から見た斜視図である。
【図１６】図１６は、図１５Ａに示す検知ギアと図１５Ｂに示す係合ユニットとが係合した状態を、ボスの径方向に切断したときの断面図である。
【発明を実施するための形態】
【００２７】
１．プリンタの全体構成
図１に示すように、画像形成装置の一例としてのプリンタ１は、電子写真方式のモノクロプリンタである。プリンタ１は、装置本体の一例としての本体ケーシング２と、プロセスカートリッジ１７と、スキャナユニット１８と、定着ユニット１９とを備えている。
【００２８】
本体ケーシング２は、略ボックス形状である。また、本体ケーシング２は、開口部２０と、フロントカバー２１と、給紙トレイ２２と、排紙トレイ２３とを有している。
【００２９】
なお、以下の説明において、方向について言及する場合には、プリンタ１を水平に載置した状態を基準として、図１における紙面右方を前方とし、図１における紙面左方を後方とする。また、プリンタ１を前方から見たときを左右の基準とし、図１の紙面手前を左方とし、図１の紙面奥を右方とする。さらに、後述する現像カートリッジ１５に関しても、本体ケーシング２に対する装着状態を基準として前後左右上下を規定する。具体的には、各図において方向を矢印にて示す。また、左右方向が軸線方向の一例であり、軸線方向のうち右方から左方に向かう方向が第１方向であり、軸線方向のうち第１方向の反対方向、つまり、左方から右方に向かう方向が第２方向である。
【００３０】
開口部２０は、図１に示すように、本体ケーシング２の前壁を前後方向に貫通し、プロセスカートリッジ１７の通過を許容するように構成されている。
【００３１】
フロントカバー２１は、側面視略Ｌ字状の板状である。フロントカバー２１は、その下端部を支点として本体ケーシング２の前壁に揺動可能に支持されている。フロントカバー２１は、開口部２０を開放または閉鎖するように構成されている。
【００３２】
給紙トレイ２２は、本体ケーシング２の底部に配置されている。給紙トレイ２２は、用紙Ｐを収容するように構成されている。
【００３３】
排紙トレイ２３は、本体ケーシング２の上面に配置されている。
【００３４】
プロセスカートリッジ１７は、開口部２０を介して、本体ケーシング２に対して装着または離脱するように構成されている。プロセスカートリッジ１７は、ドラムカートリッジ２４と、カートリッジの一例としての現像カートリッジ１５とを備えている。
【００３５】
ドラムカートリッジ２４は、感光ドラム２５と、スコロトロン型帯電器２６と、転写ローラ２７とを備えている。
【００３６】
感光ドラム２５は、ドラムカートリッジ２４の後端部に配置されており、左右方向に延びる略円筒形状である。そして、感光ドラム２５は、ドラムカートリッジ２４のフレームに回転可能に支持されている。
【００３７】
スコロトロン型帯電器２６は、感光ドラム２５の後方において、感光ドラム２５と間隔を隔てて配置されている。
【００３８】
転写ローラ２７は、感光ドラム２５の下方に配置されている。転写ローラ２７は、感光ドラム２５の下端部と接触している。
【００３９】
現像カートリッジ１５は、ドラムカートリッジ２４に対して装着または離脱するように構成されている。これによって、現像カートリッジ１５は、本体ケーシング２に対して装着または離脱するように構成されている。
【００４０】
現像カートリッジ１５は、筐体１６と、アジテータ３と、現像ローラ４と、供給ローラ５と、層厚規制ブレード６とを備えている。
【００４１】
筐体１６は、図２に示すように、左右方向に延びる略ボックス状であり、筐体１６の後端部は、前後方向に開放されている。また、筐体１６は、図１に示すように、その内部において、前後方向に並列されるトナー収容室７および現像室８を有している。トナー収容室７は、現像剤の一例としてのトナーを収容している。
【００４２】
アジテータ３は、トナー収容室７の前後上下方向略中央部分に配置されている。また、アジテータ３は、アジテータ軸９と、攪拌ブレード１０とを備えている。アジテータ軸９は、左右方向に延びる略円柱状である。攪拌ブレード１０は、アジテータ軸９から、アジテータ軸９の径方向の外方に延びている。
【００４３】
そして、アジテータ３は、アジテータ軸９の左右両端部が、後述する左側壁３３および右側壁３４に回転可能に支持されることによって、筐体１６に支持されている。また、アジテータ軸９の左端部は、図４Ａに示すように、後述する左側壁３３から左方に突出している。
【００４４】
現像ローラ４は、図１に示すように、現像室８の後端部に配置されている。また、現像ローラ４は、現像ローラ軸１１と、ゴムローラ１２とを備えている。現像ローラ軸１１は、左右方向の延びる略円柱形状である。ゴムローラ１２は、現像ローラ軸１１の左右両端部が露出するように、現像ローラ軸１１を被覆している。また、現像ローラ４のゴムローラ１２の上方部分および後方部分は、筐体１６から露出している。そして、現像ローラ４は、現像ローラ軸１１の左右両端部が、後述する左側壁３３および右側壁３４に回転可能に支持されることによって、筐体１６に支持されている。また、現像ローラ軸１１の左端部は、図１３に示すように、後述する左側壁３３から左方に突出している。
【００４５】
供給ローラ５は、図１に示すように、現像室８において現像ローラ４の前下方に配置されている。また、供給ローラ５は、供給ローラ軸１３と、スポンジローラ１４とを備えている。供給ローラ軸１３は、左右方向の延びる略円柱形状である。スポンジローラ１４は、供給ローラ軸１３の左右両端部が露出するように、供給ローラ軸１３を被覆している。また、供給ローラ５のスポンジローラ１４の後上端部は、ゴムローラ１２の前下端部に圧接している。そして、供給ローラ５は、供給ローラ軸１３の左右両端部が、後述する左側壁３３および右側壁３４に回転可能に支持されることによって、筐体１６に支持されている。また、供給ローラ軸１３の左端部は、図１３に示すように、後述する左側壁３３から左方に突出している。
【００４６】
層厚規制ブレード６は、図１に示すように、現像室８において現像ローラ４の前上方に配置されている。また、層厚規制ブレード６は、左右方向に延びる背面視略矩形の板状であり、側面視において上下方向に延びている。そして、層厚規制ブレード６は、層厚規制ブレード６の下端部が、現像ローラ４の前上端部に接触するように、筐体１６に支持されている。
【００４７】
そして、現像カートリッジ１５がドラムカートリッジ２４に装着された状態において、現像ローラ４の後端部が感光ドラム２５の前端部に接触している。
【００４８】
スキャナユニット１８は、プロセスカートリッジ１７の上方に配置されている。スキャナユニット１８は、図１に点線で示すように、感光ドラム２５に向けて画像データに基づくレーザービームを出射するように構成されている。
【００４９】
定着ユニット１９は、プロセスカートリッジ１７の後方に配置されている。定着ユニット１９は、加熱ローラ２８と、加圧ローラ２９とを備えている。加圧ローラ２９は、加熱ローラ２８に対して後下方に配置されており、加熱ローラ２８の後下端に圧接している。
【００５０】
そして、プリンタ１において、図示しない制御部の制御により、画像形成動作が開始すると、スコロトロン型帯電器２６が、感光ドラム２５の表面を一様に帯電する。その後、スキャナユニット１８が、感光ドラム２５の表面を露光する。これにより、画像データに基づく静電潜像が、感光ドラム２５の表面に形成される。
【００５１】
また、アジテータ３は、トナー収容室７内のトナーを撹拌し、撹拌されたトナーを供給ローラ５に供給する。供給ローラ５は、アジテータ３から供給されたトナーを現像ローラ４に供給する。このとき、トナーは、現像ローラ４と供給ローラ５との間で正極性に摩擦帯電され、現像ローラ４上に担持される。層厚規制ブレード６は、現像ローラ４上に担持されたトナーを一定厚さに規制する。
【００５２】
そして、現像ローラ４は、一定厚みとして担持するトナーを、感光ドラム２５の表面上の静電潜像に供給する。これにより、トナー像が、感光ドラム２５の表面上に担持される。
【００５３】
用紙Ｐは、給紙トレイ２２から、各種ローラの回転により、所定のタイミングで１枚ずつ、感光ドラム２５と転写ローラ２７との間に給紙される。感光ドラム２５上のトナー像は、感光ドラム２５と転写ローラ２７との間を通過するときに、用紙Ｐに転写される。
【００５４】
その後、用紙Ｐは、加熱ローラ２８と加圧ローラ２９との間を通過するときに加熱および加圧される。このとき、用紙Ｐ上のトナー像は、用紙Ｐに熱定着される。その後、用紙Ｐは、排紙トレイ２３に排紙される。
２．現像カートリッジの詳細
現像カートリッジ１５は、図２に示すように、筐体１６の左方に配置される検知ユニット３２を備えている。
（１）筐体
筐体１６は、壁部の一例としての左側壁３３と、右側壁３４とを備えている。左側壁３３は、右側壁３４に対して左方に間隔を空けて配置されている。
【００５５】
左側壁３３および右側壁３４のそれぞれは、前後方向に延びる側面視略矩形の板状である。
【００５６】
左側壁３３は、図４Ａおよび図５に示すように、アイドルギア支持軸３９と、トナー充填口３８と、キャップ４０とを備えている。
【００５７】
アイドルギア支持軸３９は、図４Ａに示すように、左側壁３３の左面における前後方向略中央部分に配置されており、左側壁３３から露出するアジテータ軸９の左端部の後上方に配置されている。アイドルギア支持軸３９は、左右方向に延びる略円柱形状であり、左側壁３３の左面から左方に向かって突出している。
【００５８】
トナー充填口３８は、左側壁３３から露出するアジテータ軸９の左端部の前方に配置されており、図５に示すように、左側壁３３の前端部を左右方向に貫通している。これによって、トナー充填口３８は、トナー収容室７と筐体１６の外部空間とを左右方向に連通している。
【００５９】
キャップ４０は、トナー充填口３８に対して装着または離脱するように構成されている。キャップ４０は、図３Ａに示すように、閉鎖部４５と、挿入部４８と、検知ギア支持部４６とを一体に備えている。
【００６０】
閉鎖部４５は、側面視略矩形の板状である。挿入部４８は、図５に示すように、閉鎖部４５の右面に配置されている。挿入部４８は、左右方向に延びる略円筒形状であり、閉鎖部４５の右面から右方に向かって突出している。挿入部４８の外径は、トナー充填口３８の内径よりも僅かに小さい。
【００６１】
検知ギア支持部４６は、図３Ａに示すように、閉鎖部４５の左面に配置されている。検知ギア支持部４６は、検知ギア支持軸５１と、ガイド部５２と、第１ストッパ５３と、第２ストッパ５４とを備えている。
【００６２】
検知ギア支持軸５１は、閉鎖部４５の左面における略中央部分に配置されている。検知ギア支持軸５１は、左右方向に延びる略円柱形状であり、閉鎖部４５の左面から左方に向かって突出している。
【００６３】
ガイド部５２は、後方に向かって開放される側面視略Ｃ字状であり、左右方向に延びる略半円筒形状である。また、ガイド部５２は、閉鎖部４５の左面から左方に向かって突出している。そして、ガイド部５２は、検知ギア支持軸５１の外周面と間隔を空けて、検知ギア支持軸５１を前方から囲むように配置されている。
【００６４】
ガイド部５２は、第１傾斜面５５と、第１平行面５６と、第２傾斜面５７と、切欠面５８と、第２平行面５９とを有している。
【００６５】
第１傾斜面５５は、ガイド部５２の左面における、左側面視反時計回り方向の上流端部に配置されている。第１傾斜面５５は、閉鎖部４５の左面と連続しており、左側面視反時計回り方向の下流へ向かうにつれて、左方へ向かうように傾斜している。
【００６６】
第１平行面５６は、第１傾斜面５５の左側面視反時計回り方向の下流端部から連続し、閉鎖部４５の左面と平行となるように、左側面視反時計回り方向に延びている。
【００６７】
第２傾斜面５７は、第１平行面５６の左側面視反時計回り方向の下流端部から連続し、左側面視反時計回り方向の下流へ向かうにつれて、右方へ向かうように傾斜している。
【００６８】
切欠面５８は、第２傾斜面５７の左側面視反時計回り方向の下流端部から、右方に向かって切り欠かれている。
【００６９】
第２平行面５９は、切欠面５８の右端部から連続して、閉鎖部４５の左面と平行となるように、左側面視反時計回り方向に延びている。
【００７０】
第１ストッパ５３は、ガイド部５２の左側面視反時計回り方向の上流端部に対して、後方に間隔を空けて配置されている。第１ストッパ５３は、後述する第２ギア部８１の回転の周方向に沿って延びる板状であり、閉鎖部４５の左面から左方に向かって突出している。
【００７１】
第２ストッパ５４は、ガイド部５２の切欠面５８に対して後方に間隔を空けて配置されている。第２ストッパ５４は、後述する第２ギア部８１の回転の周方向に沿って延びる板状であり、閉鎖部４５の左面から左方に向かって突出している。
【００７２】
そして、キャップ４０は、図５に示すように、挿入部４８がトナー充填口３８に挿入されることにより、左側壁３３に装着されている。これによって、キャップ４０の閉鎖部４５は、トナー充填口３８を左方から閉鎖している。
（２）検知ユニット
検知ユニット３２は、図２に示すように、左側壁３３の左方に配置されており、ギア列６５と、ばね部材１００と、カバー部材６６とを備えている。
（２−１）ギア列
ギア列６５は、図１３に示すように、現像カップリング６７と、現像ギア６８と、供給ギア６９と、アイドルギア７０と、アジテータギア７１と、回転体の一例としての検知ギア７２とを備えている。
（２−１−１）現像カップリング、現像ギアおよび供給ギア
現像カップリング６７は、図１３に示すように、左側壁３３の左面の後方部分に配置されている。現像カップリング６７は、図示しない回転軸を中心に回転可能となるように、左側壁３３に支持されている。図示しない回転軸は、左右方向に延び、左側壁３３に相対回転不能に固定されている。
【００７３】
また、現像カップリング６７は、左右方向に延びる略円柱形状であり、カップリングギア部７３と、カップリング部７４とを一体に有している。
【００７４】
カップリングギア部７３は、現像カップリング６７の右方部分であって、その周面すべてにわたって、ギア歯を有している。
【００７５】
カップリング部７４は、現像カップリング６７の左方部分であって、カップリングギア部７３と中心軸線が一致する略円柱形状である。また、カップリング部７４の外径は、カップリングギア部７３の外径よりも小さい。
【００７６】
また、カップリング部７４は、結合凹部７５と、１対の突部７６とを有している。
【００７７】
結合凹部７５は、カップリング部７４の左端面に配置されている。結合凹部７５は、側面視略円形状であり、カップリング部７４の左端面から右方に向かって凹んでいる。
【００７８】
１対の突部７６のそれぞれは、結合凹部７５内に配置されており、結合凹部７５の径方向において、互いに向かい合うように配置されている。各突部７６は、結合凹部７５の内周面から、結合凹部７５の中心に向かって径方向の内方に突出している。各突部７６は、左右方向に延びる略角柱形状である。
【００７９】
現像ギア６８は、現像カップリング６７の後下方に配置されている。現像ギア６８は、左右方向に延びる略円筒形状であり、その周面のすべてにわたって、ギア歯を有している。
【００８０】
そして、現像ギア６８は、現像ローラ軸１１の左端部に相対回転不能に取り付けられている。また、現像ギア６８の前上端部は、カップリングギア部７３の後下端部に噛合している。
【００８１】
供給ギア６９は、現像カップリング６７の下方に配置されている。供給ギア６９は、左右方向に延びる略円筒形状であり、その周面のすべてにわたって、ギア歯を有している。
【００８２】
そして、供給ギア６９は、供給ローラ軸１３の左端部に相対回転不能に取り付けられている。また、供給ギア６９の上端部は、カップリングギア部７３の下端部に噛合している。
（２−１−２）アイドルギアおよびアジテータギア
アイドルギア７０は、現像カップリング６７の前方に配置されている。アイドルギア７０は、図４Ｂに示すように、大径ギア７７と、中間部７８と、小径ギア７９とを一体に有している。
【００８３】
大径ギア７７は、アイドルギア７０の左端部に配置され、図４Ａに示すように、左右方向に厚みを有する略円環板状である。大径ギア７７は、その周面のすべてにわたってギア歯を有している。
【００８４】
中間部７８は、図４Ｂに示すように、大径ギア７７と中心軸線が一致する略円筒形状であり、大径ギア７７の右面から右方に向かって突出している。また、中間部７８の外径は、大径ギア７７の外径よりも小さく、中間部７８の内径は、大径ギア７７の内径と略同じである。また、中間部７８の右端面は閉鎖されている。
【００８５】
小径ギア７９は、中間部７８と中心軸線が一致する略円筒形状であり、中間部７８の右端面から右方に向かって突出している。また、小径ギア７９の外径は、中間部７８の外径よりも小さく、小径ギア７９の内径は、図４Ａに示すように、アイドルギア支持軸３９の外径よりも僅かに大きい。小径ギア７９は、その周面のすべてにわたってギア歯を有している。
【００８６】
そして、アイドルギア７０は、小径ギア７９がアイドルギア支持軸３９を相対回転可能に受け入れることにより、左側壁３３に回転可能に支持されている。また、アイドルギア７０は、図１３に示すように、大径ギア７７の後端部がカップリングギア部７３の前端部に噛合している。
【００８７】
アジテータギア７１は、アイドルギア７０の前下方に配置されている。アジテータギア７１は、図４Ｂに示すように、第１ギア部８０と、第２ギア部８１と、第１当接部８２とを一体に有している。
【００８８】
第１ギア部８０は、アジテータギア７１の左方部分であって、左右方向に延びる略円筒形状である。第１ギア部８０は、その周面のすべてにわたってギア歯を有している。
【００８９】
第２ギア部８１は、アジテータギア７１の右方部分であって、第１ギア部８０の右方に隣接している。また、第２ギア部８１は、第１ギア部８０と中心軸線が一致する略円環板状である。また、第２ギア部８１の外径は、第１ギア部８０の外径よりも大きい。第２ギア部８１は、その周面のすべてにわたってギア歯を有している。
【００９０】
第１当接部８２は、第２ギア部８１の左面に配置されている。第１当接部８２は、第２ギア部８１の左面から左方に向かって突出する板状であり、第２ギア部８１のギア歯よりも、左方に向かって突出している。また、第１当接部８２は、図４Ａに示すように、左側面視において、アジテータギア７１の回転の径方向に対して、反時計回り方向に傾斜するように延びている。また、第２ギア部８１の径方向の内方端部が、第１ギア部８０の外周面における右端部に接続されている。
【００９１】
そして、アジテータギア７１は、アジテータ軸９の左端部に相対回転不能に取り付けられている。これによって、アジテータギア７１は、アジテータ軸９の中心軸線を回転中心として、左側壁３３に対して回転可能である。
【００９２】
また、アジテータギア７１の第２ギア部８１の後端部は、図４Ｂに示すように、アイドルギア７０の小径ギア７９の前端部に噛合している。また、第１ギア部８０および第２ギア部８１のそれぞれの後端部は、大径ギア７７の前端部に対して、右方に間隔を空けて配置されており、左右方向に投影したときに、大径ギア７７の前端部と重なる。
（２−１−３）検知ギア
検知ギア７２は、図１３に示すように、アジテータギア７１の前方に配置されている。なお、検知ギア７２は、図４Ａ、図１０Ａおよび図１２Ａに示すように、詳しくは後述するが、アジテータギア７１から駆動力が伝達されることにより、初期位置から、進出位置を経て、終着位置まで、回転方向Ｒに沿って、不可逆的に回転する。なお、回転方向Ｒは、図４Ａにおいて矢印で示すように、左側面視反時計回り方向である。
【００９３】
そこで、以下の検知ギア７２の説明においては、検知ギア７２が、図４Ａ、図４Ｂおよび図５に示す初期位置にある状態を基準として説明する。
【００９４】
検知ギア７２は、公知のプラスチックからなる。また、検知ギア７２は、図３Ｂに示すように、板状部８５と、軸挿通部９１と、駆動受部８４と、第１係合部８６と、被検知部８７とを一体に備えている。
【００９５】
板状部８５は、側面視略円形の板状である。また、板状部８５の外径は、図４Ａに示すように、第２ギア部８１の外径よりも大きい。
【００９６】
軸挿通部９１は、図３Ｂに示すように、板状部８５の右面に配置されている。軸挿通部９１は、板状部８５と中心軸線が一致する略円筒形状であり、板状部８５の径方向中央部分から右方に向かって突出している。軸挿通部９１の内径は、検知ギア支持軸５１の外径と略同じである。
【００９７】
駆動受部８４は、板状部８５の右面に配置されており、検知ギア部８８と、ガイドリブ９０と、接続部９２と、第２当接部８９とを一体に有している。
【００９８】
検知ギア部８８は、図３Ｂおよび図４Ａに示すように、板状部８５と中心軸線が一致する略半円筒形状であり、側面視において、後下方に向かって開放されている。また、検知ギア部８８は、図３Ｂに示すように、板状部８５の右面から右方に向かって突出している。また、検知ギア部８８は、その外周面のすべてにわたってギア歯を有している。
【００９９】
また、検知ギア部８８の外周面の曲率半径は、図４Ａに示すように、板状部８５の外径よりも小さい。そのため、板状部８５の外周縁は、検知ギア部８８の外周面のギア歯よりも、検知ギア７２の回転の径方向の内方に位置している。
【０１００】
そして、検知ギア部８８は、図３Ｂに示すように、軸挿通部９１の前上方部分を囲むように、軸挿通部９１の外周面における前上方部分と間隔を空けて配置されている。
【０１０１】
また、検知ギア部８８は、切欠部９９を有している。切欠部９９は、検知ギア部８８の回転方向Ｒの下流端部の右方部分に配置されている。切欠部９９は、背面視略矩形状であり、検知ギア部８８の回転方向Ｒの下流端部の右方部分が切り欠かれている。
【０１０２】
ガイドリブ９０は、軸挿通部９１の後下方に配置されている。ガイドリブ９０は、略板状であり、図４Ａに示すように、検知ギア７２の回転の径方向に沿って延びている。また、ガイドリブ９０の径方向の内方端部は、軸挿通部９１の後下端部に接続されている。また、ガイドリブ９０の左端部は、板状部８５の右面に接続されている。また、ガイドリブ９０の左右方向寸法は、図４Ｂに示すように、検知ギア部８８の左右方向寸法よりも長い。
【０１０３】
また、ガイドリブ９０の右端部は、摺擦部１１８として構成されている。摺擦部１１８は、図６Ｂに示すように、検知ギア７２の回転の径方向に沿うガイドリブ９０の延びる方向から見て、右方に向かって膨出する半円弧形状に面取りされている。
【０１０４】
接続部９２は、図４Ａに示すように、軸挿通部９１の前下方に間隔を空けて配置されており、検知ギア部８８の回転方向Ｒの上流端部と、ガイドリブ９０の前面の径方向中央部分とを、検知ギア７２の回転方向Ｒに沿って連結している。また、接続部９２は、板状部８５の右面から右方に向かって突出しており、接続部９２の左右方向寸法は、検知ギア部８８の左右方向寸法と略同じである。
【０１０５】
第２当接部８９は、図３Ｂに示すように、軸挿通部９１に対して後下方に間隔を空けて配置されており、ガイドリブ９０に対して回転方向Ｒの上流に配置されている。第２当接部８９は、図４Ａに示すように、回転方向Ｒに沿って延びる側面視略円弧形状であり、ガイドリブ９０の径方向の略中央部分から、回転方向Ｒの上流に向かって延びている。また、第２当接部８９は、図３Ｂに示すように、板状部８５の右面から右方に向かって突出している。また、第２当接部８９の左右方向の寸法は、図４Ｂに示すように、検知ギア部８８の左右方向寸法よりも長く、ガイドリブ９０の左右方向寸法よりも短い。
【０１０６】
第１係合部８６は、図３Ｂに示すように、板状部８５の左面に配置されており、円柱部材の一例としての係合ボス９３と、複数の係止突起９４とを備えている。
【０１０７】
係合ボス９３は、板状部８５と中心軸線が一致する略円柱形状であり、板状部８５の径方向略中央部分から左方に向かって突出している。より詳しくは、係合ボス９３は、基端部１１３と、先端部１１４とを有している。基端部１１３は、左右方向に延びる略円柱形状である。先端部１１４は、円錐台形状であり、基端部１１３の左面から左方に向かって突出している。また、先端部１１４の底面（右面）の直径は、基端部１１３の外径と略同じである。また、先端部１１４の周面は、先端部１１４と後述する受入凹部１８１との係合をガイドする第１ガイド面１１５として画定されている。
【０１０８】
つまり、第１ガイド面１１５は、係合ボス９３の左端部に位置し、左方に向かうにつれて、係合ボス９３の中心軸線に向かうように傾斜する傾斜面である。
【０１０９】
複数の係止突起９４は、係合ボス９３の基端部１１３の周方向において、互いに略９０°の間隔を空けて４つ配置されている。各係止突起９４は、側面視略矩形状であり、係合ボス９３の基端部１１３の外周面から、係合ボス９３の径方向の外方に向かって突出している。また、各係止突起９４の右端部は、板状部８５の左面に接続されている。
【０１１０】
被検知部８７は、板状部８５の左面における径方向の外方部分に配置されている。被検知部８７は、第１被検知突起９５と、第２被検知突起９６と、連結部９７とを備えている。
【０１１１】
第１被検知突起９５は、係合ボス９３の前方に間隔を空けて配置されている。第１被検知突起９５は、左右方向に延びる略杆状であり、板状部８５から左方に向かって突出している。第１被検知突起９５の左右方向の寸法は、係合ボス９３の左右方向の寸法と略同じである。
【０１１２】
また、第１被検知突起９５は、図４Ａに示すように、側面視において、検知ギア７２の回転の径方向に沿って延びており、その径方向の外方端縁が板状部８５の外周縁と一致している。そして、第１被検知突起９５の径方向の外方端面は、板状部８５の外周面と略面一である。
【０１１３】
第２被検知突起９６は、図３Ｂに示すように、係合ボス９３の前下方に間隔を空けて配置されている。第２被検知突起９６は、左右方向に延びる略杆状であり、板状部８５の左面から左方に向かって突出している。第２被検知突起９６の左右方向の寸法は、第１被検知突起９５の左右方向の寸法と略同じである。
【０１１４】
また、第２被検知突起９６は、図４Ａに示すように、側面視において、検知ギア７２の回転の径方向に沿って延びており、その径方向の外方端縁が板状部８５の外周縁と一致している。そして、第２被検知突起９６の径方向の外方端面は、板状部８５の外周面と略面一である。
【０１１５】
連結部９７は、図３Ｂに示すように、検知ギア７２の回転の周方向において、第１被検知突起９５および第２被検知突起９６の間に配置されている。連結部９７は、左右方向に延びる略板状であり、板状部８５の左面から左方に向かって突出している。連結部９７の左右方向の寸法は、係合ボス９３の基端部１１３の左右方向の寸法と略同じであり、第１被検知突起９５の左右方向の寸法よりも短い。
【０１１６】
また、連結部９７は、図４Ａに示すように、側面視において、検知ギア７２の回転方向Ｒに沿って延びており、第１被検知突起９５の径方向の外方部分と、第２被検知突起９６の径方向の外方部分とを連結している。また、連結部９７の径方向の外方面は、板状部８５の外周面と略面一である。
【０１１７】
そして、検知ギア７２は、図５に示すように、軸挿通部９１が検知ギア支持軸５１を相対回転可能に受け入れることにより、キャップ４０を介して、左側壁３３に支持されている。これによって、検知ギア７２は、図４Ａに示すように、軸挿通部９１の中心軸線Ａを回転中心として、左側壁３３に対して回転可能である。つまり、検知ギア支持軸５１の中心軸線Ａは、左右方向に沿って延びており、検知ギア７２の回転軸線の一例である。また、軸挿通部９１の中心軸線Ａは、係合ボス９３の中心軸線と一致しているので、係合ボス９３は、左方から見て検知ギア７２の回転中心に配置されている。
【０１１８】
また、板状部８５の後端部は、左右方向に投影したときに、アジテータギア７１の第２ギア部８１の前端部と重なっている。
（２−２）ばね部材
ばね部材１００は、図２および図５に示すように、空心コイル状であり、左右方向に延びている。そして、ばね部材１００は、図２に示すように、係合ボス９３に挿通され、かつ、ばね部材１００の右端部が複数の係止突起９４に係止されることにより、検知ギア７２に支持されている。
【０１１９】
また、ばね部材１００の右端部は、図５に示すように、板状部８５の左面と接触しており、ばね部材１００の左端部は、後述する収容部１０７の左端部の右面と接触している。つまり、ばね部材１００は、板状部８５と、後述する収容部１０７の左端部との間に左右方向において挟まれており、検知ギア７２を常には、右方、すなわちキャップ４０に向かって付勢している。
（２−３）ギアカバー
カバー部材６６は、図２に示すように、左方から見てギア列６５を被覆している。カバー部材６６は、第１カバー１０１と、第２カバー１０２とを備えている。
【０１２０】
第１カバー１０１は、カバー部材６６の後方部分であって、ギア列６５の後方部分、具体的には、現像カップリング６７、現像ギア６８および供給ギア６９を左方から被覆している。第１カバー１０１は、右方および前方に向かって開放される略ボックス形状である。また、第１カバー１０１は、現像カップリング６７、現像ギア６８および供給ギア６９を一括して被覆可能なサイズを有している。
【０１２１】
第１カバー１０１は、カップリング露出口１０４を有している。カップリング露出口１０４は、第１カバー１０１の左壁に配置されている。カップリング露出口１０４は、側面視略円形状であり、第１カバー１０１の左壁の略中央部分を左右方向に貫通している。
【０１２２】
そして、第１カバー１０１は、カップリング露出口１０４を介して現像カップリング６７の結合凹部７５を露出させるとともに、現像カップリング６７のカップリング部７４、現像ギア６８および供給ギア６９を一括して被覆するように、左側壁３３の後方部分にねじ止めされている。
【０１２３】
第２カバー１０２は、カバー部材６６の前方部分であって、ギア列６５の前方部分、具体的には、アイドルギア７０、アジテータギア７１および検知ギア７２を左方から被覆している。第２カバー１０２は、右方および後方に向かって開放される略ボックス形状である。また、第２カバー１０２は、アイドルギア７０、アジテータギア７１および検知ギア７２を一括して被覆可能なサイズを有している。
【０１２４】
また、第２カバー１０２は、図２および図５に示すように、貫通口１０５と、円周壁１０６と、収容部１０７と、連結部１０８とを有している。
【０１２５】
貫通口１０５は、図５に示すように、第２カバー１０２の左壁に配置されている。貫通口１０５は、側面視略略円形状であり、第２カバー１０２の左壁の前方部分を左右方向に貫通している。また、貫通口１０５の内径は、板状部８５の外径よりも大きい。
【０１２６】
円周壁１０６は、左右方向に延びる略円筒形状であり、貫通口１０５の周縁から左方に向かって突出している。
【０１２７】
収容部１０７は、左右方向に延びる略円筒形状であり、収容部１０７の左端部は閉鎖されている。収容部１０７は、円周壁１０６と中心軸線が一致するように、円周壁１０６内に配置されている。
【０１２８】
また、収容部１０７は、開口１１０を有している。開口１１０は、収容部１０７の左端部に配置されている。開口１１０は、図２に示すように、側面視略略円形状であり、収容部１０７の左端部の径方向中央を左右方向に貫通している。また、開口１１０の内径は、係合ボス９３の基端部１１３の外径よりも大きい。
連結部１０８は、円周壁１０６内において、収容部１０７の下方に配置されている。連結部１０８は、収容部１０７の外周面と、連結部１０８の内周面とを、円周壁１０６の径方向に沿って連結している。
【０１２９】
また、円周壁１０６の内周面、収容部１０７の外周面および連結部１０８の前後両面が、被検知部挿通口１０９を画定している。被検知部挿通口１０９は、下方に向かって開放される側面視略Ｃ字状であり、第２カバー１０２を左右方向に貫通している。
【０１３０】
そして、第２カバー１０２は、収容部１０７がばね部材１００の左端部を受け入れるとともに、アイドルギア７０、アジテータギア７１および検知ギア７２を一括して被覆するように、左側壁３３の後方部分にねじ止めされている。
【０１３１】
これによって、検知ギア７２の被検知部８７は、円周壁１０６内に配置されており、第１被検知突起９５および第２被検知突起９６の左端面は、円周壁１０６の左端面よりも僅かに右方に配置されている。
３．本体ケーシングの詳細
本体ケーシング２は、図２および図５に示すように、本体カップリング２００と、係合ユニット１７９と、検知部の一例としての検出機構１９０とを備えている。
【０１３２】
本体カップリング２００は、図２に示すように、現像カートリッジ１５が本体ケーシング２に装着された状態において、現像カップリング６７の結合凹部７５に対して、左方に間隔を空けて配置されている。また、本体カップリング２００は、左右方向に延びる略円柱形状であり、その右端部が、結合凹部７５に挿入可能に構成されている。
【０１３３】
本体カップリング２００は、公知の連動機構により、フロントカバー２１の開閉動作に連動して、左右方向に沿って移動するように構成されている。また、本体カップリング２００は、本体ケーシング２に備えられる図示しないモータなどの駆動源からの駆動力が伝達されるように構成されており、駆動力がされると、左側面視時計回り方向に回転する。
【０１３４】
係合ユニット１７９は、図５に示すように、現像カートリッジ１５が本体ケーシング２に装着された状態において、第２カバー１０２の円周壁１０６に対して、左方に間隔を空けて配置されている。
【０１３５】
係合ユニット１７９は、本体ケーシング２に支持されており、図３Ｃに示すように、板部１８２と、第２係合部１８０とを有している。
【０１３６】
板部１８２は、側面視略矩形の板状であり、図５に示すように、穴部１８３を有している。穴部１８３は、板部１８２の側面視略中央に配置されている。穴部１８３は、側面視略円形状であり、板部１８２を左右方向に貫通している。
【０１３７】
第２係合部１８０は、板部１８２の右面に配置されており、筒部１８４と、受入凹部１８１とを有している。
【０１３８】
筒部１８４は、左右方向に延びる略円筒形状であり、板部１８２の周縁から右方に向かって突出している。また、筒部１８４の右端部は、閉鎖されている。
【０１３９】
受入凹部１８１は、筒部１８４の右端部の側面視略中央に配置されている。受入凹部１８１は、係合ボス９３の先端部１１４に対応しており、先端部１１４を受け入れ可能に凹んでいる。
【０１４０】
具体的には、受入凹部１８１は、左方に向かうにつれて先細りとなる円錐台形状であり、筒部１８４の右端部から左方に向かって凹んでいる。また、受入凹部１８１の内周面は、先端部１１４と受入凹部１８１との係合をガイドする第２ガイド面１８５として画定されている。
【０１４１】
検出機構１９０は、図１０Ａに示すように、第１被検知突起９５および第２被検知突起９６を検知するように構成されている。検出機構１９０は、図５に示すように、係合ユニット１７９の第２係合部１８０の上方に配置されている。
【０１４２】
検出機構１９０は、図４Ａに示すように、アクチュエータ１９１と、光学式センサ１９４とを備えている。
【０１４３】
アクチュエータ１９１は、揺動軸１９３と、当接レバー１９２と、遮光レバー１９５とを備えている。
【０１４４】
揺動軸１９３は、左右方向に延びる略円柱状であり、本体ケーシング２に回転可能に支持されている。
【０１４５】
当接レバー１９２は、揺動軸１９３に対して後下方に配置されている。当接レバー１９２は、中心角が約９０°の側面視略扇状である。そして、当接レバー１９２の中心角部分は揺動軸１９３に接続されている。
【０１４６】
遮光レバー１９５は、揺動軸１９３に対して当接レバー１９２の反対、つまり、揺動軸１９３に対して前上方に配置されている。遮光レバー１９５は、前上方と後下方とを結ぶ方向に延びる側面視略矩形状である。そして、遮光レバー１９５の後下端部は揺動軸１９３に接続されている。
【０１４７】
そして、アクチュエータ１９１は、当接レバー１９２の前端縁が後上方と前下方とを結ぶ方向に延びる非検知位置と、図１０Ａに示すように、当接レバー１９２の前端縁が上下方向に延びる検知位置とに揺動可能である。また、アクチュエータ１９１は、図示しないばねのばね力により、常には、非検知位置に配置されている。
【０１４８】
光学式センサ１９４は、公知の発光素子および受光素子を備えており、発光素子および受光素子は、左右方向に互いに間隔を空けて向かい合うように配置されている。また、光学式センサ１９４は、アクチュエータ１９１が非検知位置にあるときに、遮光レバー１９５が発光素子から受光素子に至る光路を遮り、かつ、アクチュエータ１９１が検知位置にあるときに、遮光レバー１９５が発光素子から受光素子に至る光路上から退避するように、配置されている。
【０１４９】
そして、光学式センサ１９４は、アクチュエータ１９１が非検知位置にあり、遮光レバー１９５が発光素子から受光素子に至る光路を遮ったときに、オフ信号を出力し、アクチュエータ１９１が検知位置にあり、遮光レバー１９５が発光素子から受光素子に至る光路上から退避したときに、オン信号を出力する。なお、光学式センサには、図示しないが、マイクロコンピュータが電気的に接続されている。
４．現像カートリッジの本体ケーシングに対する着脱動作、および、現像カートリッジの新品検知
（４−１）現像カートリッジの本体ケーシングに対する装着動作
新品の現像カートリッジ１５、すなわち、現像カートリッジ１５の最初の使用開始前において、検知ギア７２は、図４Ａ〜図５に示すように、初期位置に位置している。つまり、初期位置は、検知ギア７２の回転動作開始前の位置である。
【０１５０】
検知ギア７２が初期位置にある状態において、図４Ａに示すように、検知ギア部８８の回転方向Ｒの下流端部は、アジテータギア７１の第１ギア部８０と噛合することなく、第１ギア部８０の前上方に離間している。また、第２当接部８９は、左方から見て、第２ギア部８１と重なるように配置されており、図４Ｂに示すように、第２ギア部８１に対して左方に間隔を空けて配置されている。
【０１５１】
また、検知ギア７２は、初期位置にある状態において、図５に示すように、ばね部材１００により、相対的に最も右方に位置し、左側壁３３の近傍に配置されている。これにより、検知ギア７２の軸挿通部９１の右端部、および、ガイドリブ９０の摺擦部１１８のそれぞれは、キャップ４０の閉鎖部４５の左面に接触している。
【０１５２】
なお、ガイドリブ９０の右方部分は、図４Ｂに示すように、第１ストッパ５３とガイド部５２の下端部との間に配置されている。つまり、ガイドリブ９０の摺擦部１１８は、ガイド部５２の第１傾斜面５５に対して回転方向Ｒの上流に配置されている。
【０１５３】
また、検知ギア７２が初期位置にある状態において、係合ボス９３は、相対的に最も右方に位置し、左側壁３３の近傍に配置される第１位置にある。なお、第１位置にある係合ボス９３左端部と、左側壁３３との間における左右方向の間隔は、初期距離Ｌ１である。
【０１５４】
そして、図５に示すように、係合ボス９３の先端部１１４は収容部１０７内に位置し、係合ボス９３の基端部１１３は円周壁１０６の右方部分内に位置している。また、係合ボス９３の先端部１１４は、開口１１０と左右方向に向かい合っている。
【０１５５】
また、被検知部８７は、図２に示すように、第１係合部８６に対して前下方に配置され、左方から見て被検知部挿通口１０９の回転方向Ｒの上流端部に位置している。
【０１５６】
このような新品の現像カートリッジ１５を本体ケーシング２に装着するには、図１に示すように、作業者は、フロントカバー２１を開放し、現像カートリッジ１５を、開口部２０を介して、本体ケーシング２に前方から挿入する。次いで、フロントカバー２１を閉鎖する。
【０１５７】
これによって、本体ケーシング２に対する現像カートリッジ１５の装着が完了する。
【０１５８】
このとき、係合ユニット１７９の第２係合部１８０と、第２カバー１０２の収容部１０７とは、左右方向に間隔を空けて向かい、第２係合部１８０の受入凹部１８１と、収容部１０７の開口１１０とは、左右方向に向かい合う。つまり、現像カートリッジ１５が本体ケーシング２に装着された状態において、第１位置にある係合ボス９３と、第２係合部１８０とは離間している。
（４−２）現像カートリッジの新品検知動作
次に、図４Ａ〜図１４を参照して、現像カートリッジ１５の検知動作について説明する。なお、図４Ａ、図４Ｂ、図６Ａ、図６Ｂ、図８、図１０Ａ、図１０Ｂおよび図１２Ａ〜図１３では、説明の便宜上、カバー部材６６およびばね部材１００を省略している。
【０１５９】
フロントカバー２１が閉鎖されると、図２に示すように、図示しない公知の連動機構により、本体ケーシング２に備えられる本体カップリング２００は、カップリング部７４の結合凹部７５に相対回転不能に進入し、突部７６と係合する。
【０１６０】
その後、本体ケーシング２に備えられる図示しない制御部の制御は、プリンタ１のウォームアップ動作を開始する。
【０１６１】
ウォームアップ動作では、本体カップリング２００は、現像カップリング６７のカップリング部７４に駆動力を入力する。すると、現像カップリング６７は、左側面視時計回り方向に回転する。このとき、現像カップリング６７は、図１３に示すように、カップリングギア部７３に噛合する各種ギア、具体的には、現像ギア６８、供給ギア６９およびアイドルギア７０の大径ギア７７それぞれに、駆動力を伝達する。
【０１６２】
現像ギア６８および供給ギア６９のそれぞれに駆動力が伝達されると、現像ローラ４は、図１に示すように、現像ギア６８に伝達された駆動力により、左側面視反時計回り方向に回転し、供給ローラ５は、供給ギア６９に伝達された駆動力により、左側面視反時計回り方向に回転する。
【０１６３】
また、大径ギア７７に駆動力が伝達されると、アイドルギア７０は、図４Ａに示すように、左側面視反時計回り方向に回転し、小径ギア７９に噛合するアジテータギア７１の第２ギア部８１に駆動力を伝達する。
【０１６４】
第２ギア部８１に駆動力が伝達されると、アジテータギア７１は、左側面視時計回り方向に回転する。すると、第１当接部８２は、アジテータギア７１の回転に伴って移動し、図示しないが、検知ギア７２の検知ギア部８８の切欠部９９を通過した後、検知ギア７２の第２当接部８９の回転方向Ｒの上流端部に当接する。これによって、第１当接部８２は、第２当接部８９の回転方向Ｒの上流端部を前下方に向かって押圧する。
【０１６５】
すると、検知ギア７２は、第１当接部８２の押圧により、初期位置から、回転方向Ｒに回転する。検知ギア７２が回転すると、図６Ａに示すように、検知ギア部８８の回転方向Ｒの下流端部は、第１ギア部８０の前端部と噛合する。これにより、アジテータギア７１から検知ギア７２に駆動力が伝達され、検知ギア７２は、回転方向Ｒに回転する。
【０１６６】
すると、検知ギア７２のガイドリブ９０の摺擦部１１８は、図６Ｂに示すように、検知ギア７２の回転に伴って回転方向Ｒに移動し、ガイド部５２の第１傾斜面５５上に到達する。
【０１６７】
これによって、検知ギア７２は、ばね部材１００の付勢力に抗して、検知ギア支持軸５１に沿って徐々に左方に向かって進出する。すると、係合ボス９３の先端部１１４は、図７に示すように、開口１１０を通過し、収容部１０７の左面よりも左方に突出する。
【０１６８】
次いで、図８に示すように、アジテータギア７１がさらに回転すると、検知ギア７２もさらに回転方向Ｒに向かって回転する。
【０１６９】
すると、検知ギア７２が回転するにつれて、ガイドリブ９０の摺擦部１１８は、図１０Ｂに示すように、第１傾斜面５５と摺擦しながら回転方向Ｒに移動し、第１傾斜面５５から第１平行面５６に移動する。
【０１７０】
これによって、検知ギア７２は、その回転に伴い、ばね部材１００の付勢力に抗して、さらに左方に向かって移動する。すると、検知ギア７２は、左側壁３３から最も左方に離間した進出位置に配置される。
【０１７１】
検知ギア７２が進出位置にある状態において、係合ボス９３は、相対的に最も左方に位置し、左側壁３３から最も左方に離間した第２位置にある。なお、第２位置にある係合ボス９３の左端部と、左側壁３３との間における左右方向の間隔は、進出距離Ｌ２である。進出距離Ｌ２は、初期距離Ｌ１よりも大きい。つまり、第２位置にある係合ボス９３は、第１位置にある係合ボス９３よりも左側壁３３から左右方向に離間しており、係合ボス９３は、検知ギア７２の回転に伴って、第１位置と第２位置とに移動する。
【０１７２】
このとき、係合ボス９３の先端部１１４は、図９に示すように、左方に向かってさらに進出する。そして、先端部１１４の第１ガイド面１１５は、受入凹部１８１の第２ガイド面１８５と摺擦する。これによって、第１ガイド面１１５および第２ガイド面１８５のそれぞれは、先端部１１４と受入凹部１８１との係合をガイドする。
【０１７３】
そして、係合ボス９３が第２位置に到達すると、係合ボス９３の先端部１１４と受入凹部１８１とは係合する。また、係合ボス９３は、第１ガイド面１１５と第２ガイド面１８５とが面接触することにより、受入凹部１８１に対して位置決めされる。つまり、係合ボス９３は、第１被検知突起９５が検出機構１９０に検知される前に、受入凹部１８１に対して位置決めされる。
【０１７４】
このとき、第１被検知突起９５および第２被検知突起９６のそれぞれの左端部は、図示しないが、第２カバー１０２の被検知部挿通口１０９を介して、円周壁１０６の左端面よりも左方に突出する。また、第１被検知突起９５の左端部は、図８に示すように、非検知位置にあるアクチュエータ１９１の当接レバー１９２に対して、前方に間隔を空けて配置されている。なお、連結部９７は、円周壁１０６の左端面よりも右方に位置し、円周壁１０６内に配置されている。
【０１７５】
そして、進出位置にある検知ギア７２は、係合ボス９３が受入凹部１８１に対して位置決めされた状態を維持したまま、回転方向Ｒにさらに回転する。すると、ガイドリブ９０の摺擦部１１８は、第１平行面５６と摺擦しながら、回転方向Ｒに移動し、また、第１被検知突起９５は、図１０Ａに示すように、回転方向Ｒに移動する。
【０１７６】
すると、第１被検知突起９５の左端部は、当接レバー１９２の前下端部に対して前方から当接する。これによって、第１被検知突起９５は当接レバー１９２の前下端部を後方に押圧する。すると、アクチュエータ１９１は、非検知位置から、左側面視時計回りに揺動して、検知位置に移動する。このとき、遮光レバー１９５が、左側面視時計回りに移動して、光学式センサ１９４の発光素子から受光素子に至る光路上から退避する。これによって、光学式センサ１９４は、アクチュエータ１９１の非検知位置から検知位置への揺動を検知し、オン信号を出力し、検出機構１９０が第１被検知突起９５を検出する。つまり、検出機構１９０は、係合ボス９３の先端部１１４が第２係合部１８０の受入凹部１８１と係合した状態で、第１被検知突起９５を検出する。
【０１７７】
そして、検知ギア７２がさらに回転すると、第１被検知突起９５は、当接レバー１９２から離れ、連結部９７が当接レバー１９２の右方に間隔を空けて配置される。すると、アクチュエータ１９１は、検知位置から非検知位置に向かって揺動する。
【０１７８】
その結果、アクチュエータ１９１の遮光レバー１９５は、光学式センサ１９４の発光素子から受光素子に至る光路を遮り、光学式センサ１９４は、アクチュエータ１９１の検知位置から非検知位置への揺動を検知する。そして、光学式センサ１９４は、オン信号をオフ信号に切り替える。
【０１７９】
続いて、検知ギア７２がさらに回転すると、第２被検知突起９６の左端部は、当接レバー１９２の前下端部に対して前方から当接する。これによって、第２被検知突起９６は当接レバー１９２の前下端部を後方に押圧する。また、アクチュエータ１９１は、再度、非検知位置から検知位置に揺動する。そうすると、遮光レバー１９５は、発光素子から受光素子に至る光路上から退避し、光学式センサ１９４は、アクチュエータ１９１の非検知位置から検知位置への揺動を検知する。これにより、光学式センサ１９４はオン信号を出力し、検出機構１９０は第２被検知突起９６を検出する。つまり、検出機構１９０は、係合ボス９３の先端部１１４が第２係合部１８０の受入凹部１８１と係合した状態で、第２被検知突起９６を検出する。
【０１８０】
このとき、第１被検知突起９５および連結部９７は、第１ギア部８０の前端部に対して、左方を通過する。
【０１８１】
次いで、検知ギア７２がさらに回転すると、図１２Ａに示すように、第２被検知突起９６は当接レバー１９２から離れる。そして、アクチュエータ１９１は検知位置から、再度、非検知位置に戻る。その結果、光学式センサ１９４は、上記と同様に、アクチュエータ１９１の検知位置から非検知位置への揺動を検知し、オン信号をオフ信号に切り替える。
【０１８２】
次いで、検知ギア７２がさらに回転すると、ガイドリブ９０の摺擦部１１８は、図１３に示すように、第１平行面５６から第２傾斜面５７に到達する。
【０１８３】
そうすると、検知ギア７２の回転に伴って、ガイドリブ９０の摺擦部１１８は、第２傾斜面５７と摺擦しながら、ばね部材１００の付勢力により、右方に向かって徐々に移動する。そのため、係合ボス９３は、検知ギア７２の回転に伴って、第２位置から右方に向かって徐々に移動する。
【０１８４】
そして、検知ギア７２の回転がさらに進むと、ガイドリブ９０の摺擦部１１８は、第２傾斜面５７と切欠面５８との連続部分に到達する。そうすると、検知ギア７２は、ばね部材１００の付勢力により、ガイドリブ９０の摺擦部１１８と第２平行面５９とが当接するまで、右方に一気に移動する。
【０１８５】
すると、係合ボス９３は、図１４に示すように、右方へ移動し、係合ボス９３の先端部１１４は、第２係合部１８０の受入凹部１８１から離脱する。そして、係合ボス９３は円周壁１０６内に収容され、かつ、先端部１１４は収容部１０７内に収容される。
【０１８６】
また、第１被検知突起９５および第２被検知突起９６は、図示しないが、右方へ移動し、第１被検知突起９５および第２被検知突起９６のそれぞれの左端面は、円周壁１０６の左端面と略面一となるように配置される。
【０１８７】
このとき、図１２Ａに示すように、検知ギア７２の検知ギア部８８と、アジテータギア７１の第１ギア部８０との噛合が解除されて、検知ギア７２の回転が停止する。これによって、検知ギア７２は、回転動作終了時の終着位置に位置する。
【０１８８】
なお、終着位置にある検知ギア７２の係合ボス９３の左端部と、左側壁３３との間における左右方向の間隔は、終着距離Ｌ３である。終着距離Ｌ３は、進出距離Ｌ２よりも小さく、初期距離Ｌ１よりも大きい。
【０１８９】
また、検知ギア７２が終着位置にある状態で、アジテータギア７１が回転すると、第１当接部８２は、図１２Ｂに示すように、検知ギア部８８と第２ギア部８１との左右方向の間の隙間Ｓを通過する。また、検知ギア７２のガイドリブ９０は、図１２Ａに示すように、アジテータギア７１に対して前上方に配置されており、アジテータギア７１の回転に伴う第１当接部８２の移動軌跡から離間されている。
【０１９０】
また、検知ギア７２が終着位置にある状態において、ガイドリブ９０の右方部分は、図１３に示すように、回転方向Ｒにおいて、第２ストッパ５４と、切欠面５８との間に配置されている。つまり、第２ストッパ５４は、終着位置にある検知ギア７２のガイドリブ９０に対して、回転方向Ｒの下流に隣接され、検知ギア７２の回転方向Ｒの下流に向かう回転を規制している。また、ガイド部５２の切欠面５８は、終着位置にある検知ギア７２のガイドリブ９０に対して、回転方向Ｒの上流に隣接され、検知ギア７２の回転方向Ｒの上流に向かう回転を規制している。これにより、検知ギア７２は、終着位置に保持され、アジテータギア７１の回転とは無関係に静止し続ける。
【０１９１】
このように、新品の現像カートリッジ１５が本体ケーシング２に初めて装着されると、光学式センサ１９４は、オン信号を２回出力する。したがって、現像カートリッジ１５を本体ケーシング２に装着した後、光学式センサ１９４がオン信号を２回出力した場合、図示しないマイクロコンピュータによって、その現像カートリッジ１５が新品であると判別される。
【０１９２】
一方、旧品の現像カートリッジ１５、すなわち、本体ケーシング２に一度は装着されたことがある現像カートリッジ１５が本体ケーシング２に装着された場合には、アジテータギア７１が回転しても、終着位置にある検知ギア７２は、アジテータギア７１の回転とは無関係に静止し続ける。
【０１９３】
よって、現像カートリッジ１５が本体ケーシング２に装着されてからの所定期間内に、光学式センサ１９４がオン信号を出力しない場合、図示しないマイクロコンピュータによって、その現像カートリッジ１５が旧品であると判別される。
（４−３）現像カートリッジの本体ケーシングに対する離脱動作
旧品の現像カートリッジ１５は、上記したように、検知ギア７２が終着位置に配置されている。このとき、第１被検知突起９５および第２被検知突起９６は、それらの左端面のそれぞれが、第２カバー１０２の円周壁１０６の左端面と略面一となるように、円周壁１０６内に配置されている。
【０１９４】
このような旧品の現像カートリッジ１５を本体ケーシング２から離脱させるには、作業者が、上記した装着動作と逆の手順に操作する。
【０１９５】
詳しくは、作業者は、図１に示すように、フロントカバー２１を開放し、現像カートリッジ１５を前方に引き出す。以上によって、本体ケーシング２からの現像カートリッジ１５の離脱が完了する。
５．作用効果
（１）図１０Ａおよび図１１に示すように、少なくとも検出機構１９０が被検知部８７を検知するときに、検知ギア７２の係合ボス９３と、係合ユニット１７９の受入凹部１８１とが、検知ギア７２の回転により係合する。そのため、本体ケーシング２に対する検知ギア７２の相対的な位置精度の向上を図ることができ、ひいては、検知ギア７２の被検知部８７と、本体ケーシング２の検出機構１９０との相対的な位置精度の向上を図ることができる。
【０１９６】
その結果、検出機構１９０が被検知部８７を確実に検知でき、検出機構１９０による被検知部８７の検知精度の向上を図ることができる。
（２）また、第１係合部８６の係合ボス９３は、図４Ｂおよび図１０Ｂに示すように、左右方向において左側壁３３の近傍に位置する第１位置と、左右方向において第１位置よりも左側壁３３から離間するように位置する第２位置とに、検知ギア７２の回転に伴って移動する。
【０１９７】
そして、図１０Ａおよび図１１に示すように、検出機構１９０が被検知部８７を検知するときに、係合ボス９３は第２位置に配置され、係合ボス９３の先端部１１４は、第２係合部１８０の受入凹部１８１と係合する。つまり、係合ボス９３は、検知ギア７２の回転に伴って左右方向に移動し、受入凹部１８１と係合する。
【０１９８】
そのため、検出機構１９０が被検知部８７を検知するときに、第１係合部８６の係合ボス９３と第２係合部１８０の受入凹部１８１との確実な係合を確保することができ、検知ギア７２の被検知部８７と、本体ケーシング２の検出機構１９０との相対的な位置精度の向上を確実に図ることができる。
（３）また、第１係合部８６の係合ボス９３の軸線は、図４Ａに示すように、検知ギア７２の回転中心である中心軸線Ａと一致している。つまり、係合ボス９３は、左方から見て、検知ギア７２の回転中心に配置されている。
【０１９９】
そのため、検知ギア７２が回転したときに、係合ボス９３が偏心することを抑制できる。その結果、検知ギア７２の回転により、第１係合部８６の係合ボス９３と第２係合部１８０の受入凹部１８１とが係合するときに、第１係合部８６と第２係合部１８０との相対的な位置精度の向上を図ることができ、係合ボス９３と受入凹部１８１とをより一層確実に係合させることができる。
（４）また、係合ボス９３の先端部１１４は、図３Ｂに示すように、第１ガイド面１１５を有している。そのため、図９に示すように、係合ボス９３の先端部１１４と受入凹部１８１とが係合するときに、第１ガイド面１１５は、係合ボス９３の先端部１１４および受入凹部１８１の係合をガイドする。その結果、係合ボス９３の先端部１１４と受入凹部１８１との円滑な係合を確保することができる。
（５）また、受入凹部１８１は、図３Ｃに示すように、第２ガイド面１８５を有している。そのため、図９に示すように、係合ボス９３の先端部１１４と受入凹部１８１とが係合するときに、第１ガイド面１１５および第２ガイド面１８５は、係合ボス９３の先端部１１４および受入凹部１８１の係合を確実にガイドする。
【０２００】
また、係合ボス９３は、第１ガイド面１１５が第２ガイド面１８５と接触することにより、第２係合部１８０に対して位置決めされる。そのため、係合ボス９３と受入凹部１８１との相対的な位置精度の向上を図ることができる。
【０２０１】
その結果、係合ボス９３の先端部１１４と受入凹部１８１とのより一層円滑な係合を確保することができながら、係合ボス９３と受入凹部１８１との位置精度の向上を図ることができる。
【０２０２】
また、第１ガイド面１１５および第２ガイド面１８５は、係合ボス９３の先端部１１４および受入凹部１８１の係合をガイドする部分と、係合ボス９３を第２係合部１８０に対して位置決めする部分とを兼ねるので、部品点数の低減を図ることができる。
【０２０３】
また、第１ガイド面１１５が第２ガイド面１８５と接触することにより、係合ボス９３が第２係合部１８０に対して位置決めされるので、係合ボス９３を第１ガイド面１１５と第２ガイド面１８５とが接触するまで移動させれば、係合ボス９３および受入凹部１８１の係合をガイドでき、かつ、係合ボス９３を第２係合部１８０に対して位置決めできる。
【０２０４】
つまり、係合ボス９３の移動量つまり検知ギア７２の移動量を低減しても、係合ボス９３および受入凹部１８１の係合をガイドでき、かつ、係合ボス９３を第２係合部１８０に対して位置決めできる。
【０２０５】
そのため、検知ギア７２の確実な移動を確保でき、プリンタ１の左右方向の小型化を図ることができる。さらに、係合ボス９３と受入凹部１８１とのより一層円滑な係合を確保することができ、かつ、係合ボス９３と第２係合部１８０との相対的な位置精度の向上を図ることができる。
（６）また、第１係合部８６は、図３Ｂに示すように、左右方向に延びる係合ボス９３を有している。そのため、図９に示すように、係合ボス９３の先端部１１４と第２係合部１８０の受入凹部１８１とを確実に係合させることができる。また、第１ガイド面１１５は、左方に向かうにつれて、係合ボス９３の中心軸線に向かうように傾斜している。そのため、係合ボス９３の先端部１１４と、第２係合部１８０の受入凹部１８１との係合を確実にガイドすることができる。
６．第２実施形態
次に、本発明の第２実施形態について説明する。
【０２０６】
図１５Ａ〜図１６において、図１〜図１４に示す各部に対応する部分には、それらの各部と同一の参照符号を付し、その説明を省略する。
【０２０７】
上記した第１実施形態に係る検知ギア７２は、図３Ｂに示すように、係合ボス９３を有している。しかし、本発明は、この実施形態に限定されず、第２実施形態に係る検知ギア７２は、図１５Ａに示すように、係合ボス９３に代えて、円筒部材の一例としての係合筒１２０を有している。
【０２０８】
係合筒１２０は、板状部８５と中心軸線が一致する略円筒形状であり、板状部８５の径方向略中央部分から左方に向かって突出している。また、係合筒１２０の左端部における内周面は、先端部１８８と係合筒１２０と後述する円柱部１８６との係合をガイドする第１ガイド面１２１を有している。
【０２０９】
第１ガイド面１２１は、図１６に示すように、係合筒１２０の左端部から右方に向かうにつれて、係合筒１２０の径方向内方に向かうように傾斜している。
【０２１０】
つまり、第１ガイド面１２１は、係合筒１２０の左端部に位置し、左方に向かうにつれて、係合筒１２０の中心軸線から離れるように傾斜する傾斜面である。
【０２１１】
また、本体ケーシング２が備える係合ユニット１７９は、係合筒１２０に対応して、第２係合部の一例としての円柱部１８６を有している。
【０２１２】
円柱部１８６は、板部１８２の右面の側面視略中央に配置されている。円柱部１８６は、左右方向に延びる略円柱形状であり、板部１８２の右面から右方に向かって突出している。
【０２１３】
より詳しくは、円柱部１８６は、基端部１８７と、先端部１８８とを有している。基端部１８７は、左右方向に延びる略円柱形状である。基端部１８７の外径は、係合筒１２０の内径よりも大きい。先端部１８８は、円錐台形状であり、基端部１８７の右面から右方に向かって突出している。また、先端部１８８の底面（左面）の直径は、基端部１８７の外径と略同じである。また、先端部１８８の周面は、先端部１８８と係合筒１２０との係合をガイドする第２ガイド面１８９として画定されている。
【０２１４】
このような第２実施形態において、上記の第１実施形態と同様に、検知ギア７２が、図１６に示すように、初期位置から進出位置に向かって移動すると、係合筒１２０は第１位置から第２位置に向かって移動する。
【０２１５】
このとき、第１ガイド面１２１および第２ガイド面１８９のそれぞれは、係合筒１２０と円柱部１８６の先端部１８８との係合をガイドする。
【０２１６】
そして、係合筒１２０が第２位置に到達すると、係合筒１２０の左端部は、円柱部１８６の先端部１８８を受け入れる。このとき、係合筒１２０は、第１ガイド面１１５と第２ガイド面１８５とが面接触することにより、円柱部１８６に対して位置決めされる。
【０２１７】
次いで、進出位置にある検知ギア７２が、係合筒１２０が円柱部１８６に対して位置決めされた状態を維持したまま、さらに回転すると、被検知部８７は、第１実施形態と同様に、検出機構１９０に検出される。
【０２１８】
そのため、このような第２実施形態によっても、上記した第１実施形態と同様の作用効果を奏することができる。
【０２１９】
また、第１係合部８６は、左右方向に延びる係合筒１２０を有している。そのため、係合筒１２０と円柱部１８６とを確実に係合させることができる。また、第１ガイド面１２１は、左方に向かうにつれて、係合筒１２０の中心軸線から離れるように傾斜している。そのため、係合筒１２０と円柱部１８６との係合を確実にガイドすることができる。
７．変形例
（１）また、上記の第１実施形態および第２実施形態では、検知ギア７２は、初期位置から終着位置まで回転するときに、左右方向に進退するように構成されるが、これに限定されず、検知ギア７２は、初期位置から終着位置まで回転すれば、左右方向に進退しなくともよい。
【０２２０】
この場合、本体ケーシング２は、図示しないが、カムユニットを備えている。カムユニットは、ピニオンギアと、第２係合部の一例としての直動カムと、引張ばねとを備えている。
【０２２１】
ピニオンギアは、図示しないが、現像カートリッジ１５が本体ケーシング２に装着された状態において、検知ギア７２の検知ギア部８８と噛み合うように配置されている。
【０２２２】
直動カムは、図示しないが、前後方向に延びる側面視略矩形状であり、ピニオンギアの後上方に配置されている。また、直動カムは、直動カムの下面に配置されるラックギアを有している。そして、ラックギアの前端部は、ピニオンギアと噛み合っている。
【０２２３】
なお、直動カムは、前後方向に沿って移動可能に構成されており、本体ケーシング２に対して上下方向への移動が規制されている。
【０２２４】
引張ばねは、図示しないが、その前端部が、直動カムの後端部に接続されており、直動カムを後方に向かって付勢している。
【０２２５】
そして、検知ギア７２にアジテータギア７１から駆動力が伝達され、検知ギア７２が、初期位置から終着位置に向かって、左側面視反時計回りに回転すると、検知ギア７２の検知ギア部８８に噛み合うピニオンギアは、左側面視時計回りに回転する。
【０２２６】
すると、ピニオンギアと噛み合う直動カムは、引張ばねの付勢力に抗して、前方に向かって移動し、ピニオンギアの上方に到達する。これによって、直動カムと検知ギア部８８とは、検知ギア７２の回転により、ピニオンギアを介して係合する。なお、この変形例では、検知ギア部８８が第１係合部の一例である。
【０２２７】
次いで、検知ギア７２が、検知ギア部８８と直動カムとがピニオンギアを介して係合した状態を維持したまま、さらに回転すると、直動カムは、さらに前方に向かって移動し、被検知部８７は、回転方向Ｒに沿って移動する。これによって、被検知部８７は、第１実施形態と同様に、検出機構１９０に検出される。
【０２２８】
次いで、検知ギア７２がさらに回転すると、検知ギア７２の接続部９２がピニオンギアの下方に到達し、ピニオンギアと検知ギア部８８との噛合が解除される。すると、直動カムは、引張ばねの付勢力により後方に向かって移動し、現像カートリッジ１５の本体ケーシング２に対する着脱軌跡から退避する。このとき、ピニオンギアは、直動カムの移動に伴って、左側面視反時計回り方向に回転する。
【０２２９】
その後、検知ギア７２は、第１実施形態と同様に、終着位置に到達する。
（２）また、上記の第１実施形態および第２実施形態では、光学式センサ１９４は、アクチュエータ１９１の検知位置から非検知位置への揺動を検知したときに、オフ信号を出力するように構成されるが、これに限定されず、オン信号の出力を停止するように構成されてもよい。
（３）また、上記の第１実施形態および第２実施形態では、現像カートリッジ１５は、ドラムカートリッジ２４に装着または離脱するように構成される。しかし、これに限定されず、現像カートリッジ１５は、例えば、ドラムカートリッジ２４と一体として構成することもできる。なお、この場合には、現像カートリッジ１５とドラムカートリッジ２４とを一体に備えるプロセスカートリッジ１７が、カートリッジの一例として対応する。
（４）また、現像カートリッジ１５は、現像ローラ４を有するフレームに対し、トナーが収容されるトナーボックスが装着または離脱するように構成することもできる。この場合、トナーボックスが、検知ユニット３２を備え、カートリッジの一例として対応する。
【０２３０】
また、現像カートリッジ１５のみが、感光ドラム２５を備える本体ケーシング２に対して装着または離脱するように構成することもできる。
（５）また、上記の第１実施形態および第２実施形態では、検知ギア７２は、公知のプラスチックからなり、第１被検知突起９５および第２被検知突起９６を一体に有する。しかし、これに限定されず、検知ギア７２は、第１被検知突起９５および第２被検知突起９６を別体として有してもよい。この場合、第１被検知突起９５および第２被検知突起９６のそれぞれは、例えば、樹脂フィルムや、ゴムなどの弾性部材からなる。
（６）また、上記の第１実施形態および第２実施形態では、検知ギア７２は、左側壁３３に装着されるキャップ４０に回転可能に支持されている。しかし、これに限定されず、検知ギア７２は、筐体１６に直接支持されてもよい。この場合、筐体１６は、検知ギア支持部４６を有する。
【０２３１】
これらによっても、上記した第１実施形態および第２実施形態と同様の作用効果を奏することができる。
【０２３２】
なお、これら第１実施形態、第２実施形態および変形例は、適宜組み合わせることができる。
【符号の説明】
【０２３３】
１      プリンタ
２      本体ケーシング
１５    現像カートリッジ
３３    左側壁
７２    検知ギア
８６    第１係合部
８７    被検知部
９３    係合ボス
１１５  第１ガイド面
１２０  係合筒
１２１  第１ガイド面
１８０  第２係合部
１８５  第２ガイド面
１８６  円柱部
１８９  第２ガイド面
１９０  検出機構
Ａ      検知ギアの中心軸線
【図１】
2015060179.tif 000003
【図２】
2015060179.tif 000004
【図３】
2015060179.tif 000005
【図４】
2015060179.tif 000006
【図５】
2015060179.tif 000007
【図６】
2015060179.tif 000008
【図７】
2015060179.tif 000009
【図８】
2015060179.tif 000010
【図９】
2015060179.tif 000011
【図１０】
2015060179.tif 000012
【図１１】
2015060179.tif 000013
【図１２】
2015060179.tif 000014
【図１３】
2015060179.tif 000015
【図１４】
2015060179.tif 000016
【図１５】
2015060179.tif 000017
【図１６】
2015060179.tif 000018